(57)【要約】【課題】セッションを開始して呼を接続するネットワークにおいて多様なメディアを利用した通信サービスの着信呼に対して多様な転送を実現する技術を提供する。【解決手段】加入者データ蓄積手段は、ペイロードタイプによって通信サービス種別を示すサービス情報と、その通信サービスの着信呼に対する転送処理を示す転送設定情報と、転送先電話番号とを含む転送シナリオを蓄積する。転送判定手段は、着信のセッション開始要求を受け付け、着信先の加入者電話番号と、指定された通信サービスを示すペイロードタイプとを読み取り、その加入者電話番号に対応付けられ、そのペイロードタイプと一致する通信サービスの種別を示すサービス情報を含む転送シナリオに含まれている転送設定情報を参照することにより、そのセッション開始要求の呼に対して実行すべき転送処理を決定する。転送処理手段は、転送判定手段で決定された転送処理をその呼に対して実行する。【選択図】図２
2012084978.tif 000002
【特許請求の範囲】
【請求項１】
通信パケットのペイロードタイプによって通信サービスの種別を示すサービス情報と、該通信サービスの着信呼に対する転送処理を示す転送設定情報と、転送する場合の転送先電話番号とを含む転送シナリオを、加入者電話番号に対応付けて、加入者データに蓄積する加入者データ蓄積手段と、
通信サービスを指定した前記加入者電話番号への着信のセッション開始要求を受け付け、該セッション開始要求のメッセージの、着信先の前記加入者電話番号と、指定された通信サービスを示すペイロードタイプとを読み取り、該加入者電話番号に対応付けられ、該ペイロードタイプと一致する通信サービスの種別を示すサービス情報を含む転送シナリオに含まれている転送設定情報を参照することにより、該セッション開始要求で要求される呼に対して実行すべき転送処理を決定する転送判定手段と、
前記転送判定手段で決定された転送処理を前記呼に対して実行する転送処理手段と、を有する転送サービスシステム。
【請求項２】
前記転送判定手段は少なくとも前記呼を転送するか否かを判定し、
前記転送処理手段は、前記転送判定手段にて前記呼を転送しないと判定されたら、前記セッション開始要求を前記加入者電話番号の端末装置に中継し、前記呼を転送すると判定されたら、前記セッション開始要求を、前記転送シナリオに含まれている転送先電話番号の端末装置を収容する制御装置に中継する、
請求項１に記載の転送サービスシステム。
【請求項３】
１つの加入者電話番号に対して、通信サービス毎に転送先電話番号を設定した複数の転送シナリオが設定される、請求項１または２に記載の転送サービスシステム。
【請求項４】
前記加入者データ蓄積手段の前記加入者データに前記転送シナリオを登録するためのインタフェースを提供する転送シナリオ入力手段を更に有する、請求項１から３のいずれか一項に記載の転送サービスシステム。
【請求項５】
前記転送判定手段と前記転送処理手段がセッション制御サーバに備えられ、
前記加入者データ蓄積手段が複数のセッション制御サーバに共通の加入者データ蓄積装置に備えられている、請求項１から４のいずれか一項に記載の転送サービスシステム。
【請求項６】
請求項１から３の何れか一項に記載の前記転送判定手段と前記転送処理手段を有するセッション制御サーバ。
【請求項７】
請求項４に記載の前記加入者データ蓄積手段と前記転送判定手段と前記転送処理手段と前記転送シナリオ入力手段を有するセッション制御サーバ。
【請求項８】
通信パケットのペイロードタイプによって通信サービスの種別を示すサービス情報と、該通信サービスの着信呼に対する転送処理を示す転送設定情報と、転送する場合の転送先電話番号とを含む転送シナリオを、加入者電話番号に対応付けて、加入者データに予め蓄積し、
通信サービスを指定した前記加入者電話番号への着信のセッション開始要求を受け付け、該セッション開始要求のメッセージの、着信先の前記加入者電話番号と、指定された通信サービスを示すペイロードタイプとを読み取り、
該加入者電話番号に対応付けられ、該ペイロードタイプと一致する通信サービスの種別を示すサービス情報を含む転送シナリオに含まれている転送設定情報を参照することにより、該セッション開始要求で要求される呼に対して実行すべき転送処理を決定し、
決定された転送処理を前記呼に対して実行する、転送サービス制御方法。
【発明の詳細な説明】
【技術分野】
【０００１】
本発明は、次世代ネットワーク（以下「ＮＧＮ（Ｎｅｘｔ  Ｇｅｎｅｒａｔｉｏｎ  Ｎｅｔｗｏｒｋ）」と称する）における着信呼を転送する転送サービスを実現する技術に関する。
【背景技術】
【０００２】
ＮＧＮは、一般的な電話サービスをはじめ、固定通信と移動通信を融合したサービスや今後開発される新しい情報通信サービスを提供する基盤ネットワークである（例えば非特許文献１参照）。
【０００３】
また、ＮＧＮは、音声通信のみを対象とするＰＳＴＮ（Ｐｕｂｌｉｃ  Ｓｗｉｔｃｈｅｄ  Ｔｅｌｅｐｈｏｎｅ  Ｎｅｔｗｏｒｋ）とは異なり、高機能なメディアを使えることに特徴がある。例えば、オーディオメディアでは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）Ｇ．７１１だけではなく、Ｇ．７２２やＧ．７１１．１を使った通信に対応している。また、映像メディアでは、Ｈ．２６４やハイビジョンビデオのような高機能な映像を使った通信にも対応している。
【０００４】
このような高機能メディア通信を開始するために、ＮＧＮでは、通信種別や帯域などの情報をやり取りして帯域を確保するだけではなく端末間でのメディアの符号化則が事前に調整される。発信端末が要求する通信メディア（ペイロードタイプ）と、着信端末がサポートしている通信メディア（ペイロードタイプ）が不一致の場合、適切な通信を確立することができないからである。
【０００５】
ところで、従来のＰＳＴＮでは、利用者にとって便利な様々な付加サービスが提供されている。付加サービスのなかでも転送サービスは重要なサービスの一つであり、ＮＧＮにおいても同様のサービスを提供する必要がある。転送サービスとは、着信があったとき予め設定した条件に基づき着信呼を転送先に転送するサービスのことである。
【０００６】
ＰＳＴＮにおいて提供されている転送サービスでは、着信呼を、あらかじめ指定された転送先に転送するに際して、無条件で転送する、無応答時に転送する、登録した電話番号からの着信呼のみを転送する、といった、多様な転送条件を設定できるようになっている。これにより、例えば、発加入者の電話番号を予め登録しておくことで、発加入者を選別し、重要度の高い発加入者からの電話だけを、指定した転送先に転送することが可能になる（例えば特許文献１参照）。
【０００７】
また、ＩＰ（Ｉｎｔｅｒｎｅｔ  Ｐｒｏｔｏｃｏｌ）網を用いたシステムにおける従来の転送技術として、ＩＰ網およびＰＳＴＮの両方の網に接続するＩＰ／ＰＳＴＮ統合制御装置を設置するというものがある（特許文献２参照）。ＩＰ／ＰＳＴＮ統合制御装置は、ＩＰ網に接続するためのＩＰ網信号送受信制御部と、ＰＳＴＮに接続するためのＰＳＴＮ信号送受信制御部と、通信端末を接続するための端末制御部と、動作モードを含む制御データを格納するデータ格納部と、呼の接続制御を行う中央制御部とを有する。中央制御部が、データ格納部に格納された、転送や音声蓄積等の動作モードに基づき、接続制御を行う。
【先行技術文献】
【特許文献】
【０００８】
【特許文献１】特開平８−２２３２９２号公報
【特許文献２】特開２００３−３２４５２２号公報
【非特許文献】
【０００９】
【非特許文献１】宇治則孝、「豊かなブロードバンド・ユビキタス社会を築くＮＧＮ」、ＮＴＴ技術ジャーナル  ２００７．１２
【発明の概要】
【発明が解決しようとする課題】
【００１０】
特許文献１に開示されているＰＳＴＮにおける転送サービスは、電話回線および電話交換機の構成を前提としており、ＩＰ網にてセッションを開始して呼を接続するＮＧＮにそのまま適用することはできない。また、ＰＳＴＮにおける転送サービスは、音声メディア（Ｇ．７１１）を前提とした転送サービスであり、ＮＧＮが取り扱うような画像等の高機能メディアの概念はない。
【００１１】
また、特許文献２に開示されている技術は、ＰＳＴＮとＩＰ網を統合するためにＩＰ／ＰＳＴＮ統合制御装置を宅内に設置するものであり、ＩＰによる公衆網にてセッションを開始して呼を接続するＮＧＮに適用することはできない。また、これも音声メディア（Ｇ．７１１）を前提とした転送サービスであり、ＮＧＮが取り扱うような画像等の高機能メディアの概念はない。
【００１２】
本発明の目的は、セッションを開始して呼を接続するネットワークにおいて多様なメディアを利用した通信サービスの着信呼に対して多様な転送を実現する技術を提供することである。
【課題を解決するための手段】
【００１３】
上記目的を達成するために、本発明の転送サービスシステムは、
通信パケットのペイロードタイプによって通信サービスの種別を示すサービス情報と、該通信サービスの着信呼に対する転送処理を示す転送設定情報と、転送する場合の転送先電話番号とを含む転送シナリオを、加入者電話番号に対応付けて、加入者データに蓄積する加入者データ蓄積手段と、
通信サービスを指定した前記加入者電話番号への着信のセッション開始要求を受け付け、該セッション開始要求のメッセージの、着信先の前記加入者電話番号と、指定された通信サービスを示すペイロードタイプとを読み取り、該加入者電話番号に対応付けられ、該ペイロードタイプと一致する通信サービスの種別を示すサービス情報を含む転送シナリオに含まれている転送設定情報を参照することにより、該セッション開始要求で要求される呼に対して実行すべき転送処理を決定する転送判定手段と、
前記転送判定手段で決定された転送処理を前記呼に対して実行する転送処理手段と、を有する。
【００１４】
また、前記転送判定手段は少なくとも前記呼を転送するか否かを判定し、
前記転送処理手段は、前記転送判定手段にて前記呼を転送しないと判定されたら、前記セッション開始要求を前記加入者電話番号の端末装置に中継し、前記呼を転送すると判定されたら、前記セッション開始要求を、前記転送シナリオに含まれている転送先電話番号の端末装置を収容する制御装置に中継することにしてもよい。
【００１５】
また、１つの加入者電話番号に対して、通信サービス毎に転送先電話番号を設定した複数の転送シナリオが設定されるものであってもよい。
【００１６】
また、前記加入者データ蓄積手段の前記加入者データに前記転送シナリオを登録するためのインタフェースを提供する転送シナリオ入力手段を更に有してもよい。
【００１７】
また、前記転送判定手段と前記転送処理手段がセッション制御サーバに備えられ、
前記加入者データ蓄積手段が複数のセッション制御サーバに共通の加入者データ蓄積装置に備えられていてもよい。
【発明の効果】
【００１８】
本発明によれば、セッションを開始して呼を接続するネットワークにおいて多様なメディアを利用した通信サービスの着信呼に対して多様な転送を実現することができる。
【図面の簡単な説明】
【００１９】
【図１】本実施形態による通信システムの構成を示すブロック図である。
【図２】本実施形態によるセッション制御サーバ３ｂの構成を示すブロック図である。
【図３】本実施形態の通信システムの動作の一例を示すシーケンス図である。
【図４】本実施形態の通信システムの動作の他の例を示すシーケンス図である。
【図５】本実施形態の通信システムの動作の更に他の例を示すシーケンス図である。
【図６】図３におけるセッション制御サーバ３ｂに収容されている端末装置４ｂの加入者データを示す図である。
【図７】図４、５におけるセッション制御サーバ３ｂに収容されている端末装置４ｂの加入者データを示す図である。
【発明を実施するための形態】
【００２０】
本発明の実施形態について図面を参照して詳細に説明する。
【００２１】
図１は、本実施形態による通信システムの構成を示すブロック図である。同図を参照すると、通信システムはセッション制御サーバ３ａ〜３ｄと端末装置４ａ〜４ｄを有している。
【００２２】
ここでは、いずれかを特定せずにセッション制御サーバを示す場合にはセッション制御サーバ３と表記するものとする。また、いずれかを特定せずに端末装置を示す場合には端末装置４と表記するものとする。
【００２３】
セッション制御サーバ３ａは、加入者データ３１ａを保持しており、加入者端末装置（以下「端末装置」という）４ａを収容している。同様に、セッション制御サーバ３ｂは加入者データ３１ｂを保持しており、端末装置４ｂを収容している。セッション制御サーバ３ｃは加入者データ３１ｃを保持しており、端末装置４ｃを収容している。セッション制御サーバ３ｄは加入者データ３１ｄを保持しており、端末装置４ｄを収容している。
【００２４】
セッション制御サーバ３ｂおよび端末装置４ｂはＮＧＮ１の構成要素である。本実施形態の説明では、ＮＧＮ１に属するセッション制御サーバ３ｂに収容されている端末装置４ｂへの着信呼の転送に着目して説明する。
【００２５】
転送先がＮＧＮ１内であるか否かは問わない。そのため、その他のセッション制御サーバ３ａ、セッション制御サーバ３ｃ、セッション制御サーバ３ｄ、加入者データ３１ａ、加入者データ３１ｃ、加入者データ３１ｄ、端末装置４ａ、端末装置４ｃ、および端末装置４ｄはＮＧＮ１の構成要素であってもよく、あるいはＮＧＮ１の構成要素でなくてもよい。それらは例えばＰＳＴＮや移動体通信網に属するものであってもよい。
【００２６】
セッション制御サーバ３は、呼処理や着信呼の転送を含むセッション制御機能を実行するサーバである。セッション制御サーバ３は複数の加入者を収容し、各加入者の加入者データを保持する。詳細は後述する。
【００２７】
加入者データ３１は、各加入者の端末装置４の電話番号と、その電話番号への着信呼を転送する転送シナリオを含む情報である。本実施形態では、セッション制御サーバ３が加入者データ３１を保持する例を示しているが、この構成に限定されるものではない。他の例として、セッション制御サーバ３とは別体の加入者データ蓄積装置に加入者データ３１が保持され、セッション制御サーバ３が必要に応じて加入者データ蓄積装置にアクセスすることにしてもよい。更に、加入者データ蓄積装置は複数のセッション制御サーバ３に収容されている加入者の加入者データを保持し、複数のセッション制御サーバ３が共通にアクセスするものであってもよい。
【００２８】
端末装置４は、加入者が通信に使用する端末装置である。端末装置４は、通常の通信の他に、加入者データに含まれる転送シナリオの登録、変更、解除にも使用される。
【００２９】
なお、図１においては、図面の都合上、セッション制御サーバ３と端末装置４をそれぞれ４台ずつ示しているが、それぞれが更に多く存在していてもよい。また、ここでは、セッション制御サーバ３ａ〜３ｄがそれぞれ独立に構成されているが、その一部や全部が一体的に構成されていてもよい。
【００３０】
図２は、本実施形態によるセッション制御サーバ３ｂの構成を示すブロック図である。セッション制御サーバ３ｂは上述のようにＮＧＮ１に属するサーバである。
【００３１】
図２を参照すると、セッション制御サーバ３ｂはセッション制御部５１および加入者データ蓄積部５２を有し、更に転送シナリオ入力部５３を有していてもよい。セッション制御部５１はセッション制御を行う処理部であり、本発明に関連する構成として転送判定部５４と転送処理部５５を有している。
【００３２】
加入者データ蓄積部５２には上述の加入者データ３１ｂが蓄積されている。加入者データには、通信サービスを示すサービス情報と、その通信サービスの着信呼を転送するか否か等の転送処理を示す転送設定情報と、転送する場合の転送先電話番号とを含む転送シナリオが、加入者電話番号に対応付けて記録されている。サービス情報は、通信パケットのペイロードタイプによって通信サービスの種別を示す情報である。ここでいう通信サービスは、音声だけの通信か、音声と映像による通信か、音声と映像とデータによる通信かといったサービスの種別であり、通信に要求されるペイロードタイプに対応する。また、音声や映像のＣＯＤＥＣの符号化方式によって更に異なる種別とされてもよい。また、図１の例では、端末装置４ｂの加入者電話番号は０１２−３４５−６６６６である。
【００３３】
転送判定部５４は、通信サービスを指定した加入者電話番号への着信のセッション開始要求を受け付け、その加入者電話番号に対応付けられ、その通信サービスを示すサービス情報を含む転送シナリオに含まれている転送設定情報を参照することにより、そのセッション開始要求で要求される呼に対する転送処理を決定する。
【００３４】
具体的には、転送判定部５４は、受信したセッション開始要求のメッセージの、着信先の加入者電話番号と、指定された通信サービスを示すペイロードタイプとを読み取り、その加入者電話番号とペイロードタイプに基づいて、着信呼に対する転送処理を決定する。
【００３５】
転送処理部５５は、転送判定部５４で決定された転送処理をその着信呼に対して実行する。転送判定部５４にて着信呼を転送しないと判定されたら、転送処理部５５は、セッション開始要求を加入者電話番号の端末装置４ｂに中継する。また、転送判定部５４にて着信呼を転送すると判定されたら、転送処理部５５は、セッション開始要求を、転送シナリオに含まれている転送先電話番号の端末装置４を収容するセッション制御サーバ３に中継する。
【００３６】
転送シナリオ入力部５３は、加入者データ蓄積部５２の加入者データ３１ｂに転送シナリオを登録するためのインタフェースである。例えば、加入者が端末装置４ｂで所定の操作を行うことと、転送シナリオ入力部５３がそれを受け付けて転送シナリオを加入者データ３１ｂに登録することができる。
【００３７】
以上説明したように、本実施形態によれば、セッション制御サーバ３ｂが加入者電話番号への着信のセッション開始要求を受け付け、セッション開始要求で要求されている通信サービスに対応する転送設定情報に基づいて、着信呼に対する転送処理を決定する。そのため、ＮＧＮ１の多様な通信サービスに対して多様な転送処理を実現することができる。
【００３８】
なお、転送設定情報は着信呼を転送するか否かを示すだけでなく、所定の転送条件を満たした場合に着信呼を転送するというような転送条件を設定できてもよい。例えば、一定時間無応答の場合に転送する無応答転送起動、無条件で転送する無条件転送起動、転送を起動しない転送未起動、転送を行うことができない転送不可などの転送条件の設定が可能であってもよい。更に、所定の曜日の着信呼のみを転送する、所定の時間帯の着信呼のみを転送するといった設定が可能であってもよい。その場合、転送判定部５４は、転送条件が満たされている場合に、着信呼を転送すると判定すればよい。
【００３９】
また、１つの加入者電話番号に対して、通信サービス毎に転送先電話番号を設定した複数の転送シナリオを設定することができてもよい。これによれば、同じ加入者への着信であっても、指定した通信サービスによって異なる端末装置４を着信先とすることができる。
【００４０】
また、セッション制御部５１だけがセッション制御サーバ３ｂに備えられ、加入者データ蓄積部５２がセッション制御サーバ３ｂとは別体の加入者データ蓄積装置に備えられていてもよい。その場合、加入者データ蓄積装置は、複数のセッション制御サーバ３に収容されている加入者の加入者データを蓄積するものであってもよい。また、その加入者データ蓄積装置は更に転送シナリオ入力部５３を備えていてもよい。
【００４１】
以下、本実施形態の通信システム全体およびセッション制御サーバ３ｂの動作例について説明する。
【００４２】
図３は、本実施形態の通信システムの動作の一例を示すシーケンス図である。
【００４３】
図３には、音声と映像による通信の着信呼の転送が設定されていない端末装置４ｂに端末装置４ａから音声と映像による通信の着信があったときの動作例が示されている。図６は、図３におけるセッション制御サーバ３ｂに収容されている端末装置４ｂの加入者データを示す図である。図６のペイロードタイプがサービス情報に対応し、転送起動未起動が転送設定情報に対応する。図６を見て分かるように、加入者電話番号０１２−３４５−６６６６の端末装置４ｂには、音声と映像による通信（ＳＤＰｃ）の着信に対しては「転送未起動」が設定されている。なお、呼の発側の装置に「発」を付加し、着側の装置に「着」を付加して表記するものとする。
【００４４】
発端末装置４ａが端末装置４ｂと通信を確立するために、ＩＮＶＩＴＥｗｉｔｈＳＤＰｃ信号を送信する（ステップＡ１）。ＳＤＰ（Ｓｅｓｓｉｏｎ  Ｄｅｓｃｒｉｐｔｉｏｎ  Ｐｒｏｔｏｃｏｌは、マルチメディアでセッションを開始する際に必要なペイロードタイプ等の情報が記述される。ＩＮＶＩＴＥｗｉｔｈＳＤＰｃはペイロードタイプｃ（ここでは音声と映像の通信データ）を要求するＩＮＶＩＴＥ信号である。
【００４５】
着端末装置４ｂはペイロードタイプｂ（ここでは音声だけの通信データ）の機能を持つ端末装置である。
【００４６】
発セッション制御サーバ３ａは、ＩＮＶＩＴＥｗｉｔｈＳＤＰｃ信号を、着セッション制御サーバ３ｂに中継する（ステップＡ２）。着セッション制御サーバ３ｂはＩＮＶＩＴＥｗｉｔｈＳＤＰｃ信号を受信すると、着電話番号「０１２−３４５−６６６６」と「ＳＤＰｃ」をキーにして加入者データを検索する。
【００４７】
図６を参照すると、加入者データ「０１２−３４５−６６６６」で「ＳＤＰｃ」に登録されている転送シナリオは「転送未起動」である。着セッション制御サーバ３ｂは「転送未起動」の転送処理を実行し（ステップＡ３）、着端末装置４ｂにＩＮＶＩＴＥｗｉｔｈＳＤＰｃ信号を中継する（ステップＡ４）。
【００４８】
着端末装置４ｂはペイロードタイプｃの機能に対応していないため、メディアタイプ判別処理で着信が不可能と判断する（ステップＡ５）。そのため、着端末装置４ｂは着セッション制御サーバ３ｂに、セッション確立を拒否する４８８信号を返却する（ステップＡ６）。
【００４９】
４８８信号は着セッション制御サーバ３ｂおよび発セッション制御サーバ３ａで中継され（ステップ７）、発端末装置４ａに到達する。これにより、ペイロードタイプネゴシエーションが失敗となり、通信が未確立となる（ステップ８）。
【００５０】
図４は、本実施形態の通信システムの動作の他の例を示すシーケンス図である。
【００５１】
図４には、音声と映像による通信の着信呼を転送先電話番号０２３−４５９６−７７７７に転送することが設定されている端末装置４ｂに、音声と映像による通信の着信が端末装置４ａからあったときの動作例が示されている。図４におけるセッション制御サーバ３ｂに収容されている端末装置４ｂの加入者データが図７に示されている。図６と同様、図７のペイロードタイプがサービス情報に対応し、転送起動未起動が転送設定情報に対応する。
【００５２】
図７を見て分かるように、加入者電話番号０１２−３４５−６６６６の端末装置４ｂには、音声と映像による通信の着信に対する転送処理として「無条件転送起動」が設定され、転送先電話番号として「０２３−４５６−７７７７」が設定されている。ここでは、電話番号０２３−４５６−７７７７の端末装置４ｃはペイロードタイプｃの機能を持つ端末装置である。
【００５３】
発端末装置４ａが着端末装置４ｂと通信を確立するために、ＩＮＶＩＴＥｗｉｔｈＳＤＰｃ信号を送信する（ステップＢ１）。ＩＮＶＩＴＥｗｉｔｈＳＤＰｃはペイロードタイプｃ（ここでは音声と映像による通信データ）を要求するＩＮＶＩＴＥ信号である。
【００５４】
次のステップＢ２は図３におけるステップＡ２と同じである。
【００５５】
着セッション制御サーバ３ｂは、着電話番号「０１２−３４５−６６６６」とペイロードタイプ「ＳＤＰｃ」をキーにして加入者データを検索する。それにより、着セッション制御サーバ３ｂでは、着信呼を「無条件転送起動」で「０２３−４５６−７７７７」に転送するという転送処理が決定される。
【００５６】
着セッション制御サーバ３ｂは転送元となって「無条件転送起動」の転送処理を行い（ステップＢ３）、着端末装置４ｂにはＩＮＶＩＴＥｗｉｔｈＳＤＰｃ信号を中継することなく、着転送先セッション制御サーバ３ｃにＩＮＶＩＴＥｗｉｔｈＳＤＰｃ信号を中継する（ステップＢ４）。
【００５７】
着転送先セッション制御サーバ３ｃは着転送先端末装置４ｃにＩＮＶＩＴＥｗｉｔｈＳＤＰｃ信号を転送する。着転送先端末装置４ｃはペイロードタイプｃの機能に対応しているため、メディアタイプ判別処理（ステップＢ５）で着信が可能であると判断する。ここで、このようにペイロードタイプｃの着信が可能と判断されるので、高機能メディアによる通信のセッションを確立することが可能となっている。
【００５８】
着転送先端末装置４ｃは着転送先セッション制御サーバ３ｃに２００ＯＫ信号を返却する（ステップＢ６）。２００ＯＫ信号は着転送先セッション制御サーバ３ｂおよび着転送元セッション制御サーバ３ａで中継され（ステップＢ７）、発端末装置４ａまで到達する。それにより、ペイロードタイプネゴシエーションが成功し、通信が確立される（ステップＢ８）。
【００５９】
このように、セッション制御サーバ３ｂが着信の着電話番号と要求されるペイロードタイプとを解釈し、それらをキーとして転送設定情報および転送先電話番号を取得するので、高機能メディア通信の通信サービスに応じた転送により所望の転送先への通信を確立することができ、高機能メディアを扱うＮＧＮを活かした新規性のあるサービスの実現が可能となっている。
【００６０】
図５は、本実施形態の通信システムの動作の更に他の例を示すシーケンス図である。
【００６１】
図５には、音声と映像とデータによる通信の着信呼を転送先電話番号０２３−４５９６−８８８８に転送することが設定されている端末装置４ｂに、音声と映像とデータによる通信の着信が端末装置４ａからあったときの動作例が示されている。図５におけるセッション制御サーバ３ｂに収容されている端末装置４ｂの加入者データが図７に示されている。
【００６２】
図５のシーケンスにおけるステップＣ１〜Ｃ８は基本的に図４のシーケンスにおけるステップＢ１〜Ｂ８と同様である。しかし、加入者データ３１ｂには、音声と映像による通信の着信呼については転送先電話番号０２３−４５９６−７７７に転送することが設定されているが、音声と映像とデータによる通信の着信呼については転送先電話番号０２３−４５９６−８８８８に転送することが設定されている。そのため着信呼の転送先が０２３−４５９−７７７７の端末装置４ｃではなく、０２３−４５９−８８８８の端末装置４ｄとなっている。この点で図５は図４と異なる。
【００６３】
以上説明したように、本実施形態によれば、加入者は通信サービスに応じた多様な転送シナリオを登録することができる。
【００６４】
例えば、着加入者は、加入者電話番号０１２−３４５−６６６６への着信呼が、音声メディアだけであれば、電話番号０１２−３４５−６６６６の事務所居室の電話端末に着信させ、音声と映像のメディアによる着信呼であれば、電話番号０１２−３４５−７７７７の事務所のマルチメディア会議室に設置された音声と映像のメディアに対応した端末装置に転送して着信させるというようなことができる。これにより、着信呼で要求される通信メディアと着端末装置４が対応する通信メディアの不一致で通信が未確立となるのを避けることもできる。
【００６５】
従来ならば、発加入者が確立させたい呼が音声と映像のメディアによる通信であれば、加入者電話番号０１２−３４５−６６６６の着端末装置４ｂが音声メディアだけの通信にしか対応しない能力であった場合、その着信呼は確立されないか、あるいはメディアフォールバックによって音声メディアだけで通信が確立されるところである。しかし、本実施形態によれば、あらかじめ設定した転送シナリオに基づいて、音声と映像のメディアの能力がある電話番号０１２−３４５−７７７７の端末装置４ｃへ転送することで、音声と映像のメディアによる通信を確立することができる。このように、本実施形態によれば、音声メディアだけのＰＳＴＮでは考えられないような新規性のある多様な転送サービスをＮＧＮで実現することができる。
【符号の説明】
【００６６】
１  ＮＧＮ
３、３ａ−３ｄ  セッション制御サーバ
４、４ａ−４ｄ  端末装置
５１  セッション制御部
５２  加入者データ蓄積部
５３  転送シナリオ入力部
５４  転送判定部
５５  転送処理部
【図１】
2012084978.tif 000003
【図２】
2012084978.tif 000004
【図３】
2012084978.tif 000005
【図４】
2012084978.tif 000006
【図５】
2012084978.tif 000007
【図６】
2012084978.tif 000008
【図７】
2012084978.tif 000009